(57)【要約】【課題】アンカーボルトあるいはランプ板等の固定作業あるいは取付作業を容易とし、また、作業中に作業者が目視して無理な姿勢をとることなく作業できる支持枠の提供。【解決手段】  支持枠１は、パチンコ台あるいはパチスロ台である遊技台の左右の支持柱１０，１０と、遊技台を支持する支持テーブル２０と、を備え、前記支持柱の中央に貸出し機を収納する収納部３を備える支持枠において、前記支持柱は、前記収納部を当該支持柱の側方に向かって凹状に開口して形成した中央細柱部２と、この中央細柱部の上方および下方に当該中央細柱部および前記収納部を合わせた幅寸法に形成された上方柱部４および下方柱部５と、を備え、前記上方柱部および前記下方柱部は、断面形状が凹状開口となるコ字形に形成され、かつ、当該コ字形の凹状開口を、支持する前記遊技台の正面となる正面方向に向けて配置した構成とした。【選択図】      図１
2007014486.tif 000002
【特許請求の範囲】
【請求項１】
パチンコ台あるいはパチスロ台である遊技台の左右に配置される支持柱と、この支持柱に掛け渡されて前記遊技台の下端側に配置されて当該遊技台を支持する支持テーブルと、を備え、前記支持柱の高さ方向における中央部分に遊技用の玉またはコインを貸し出す貸出し機を収納する収納部を備える支持枠において、
前記支持柱は、前記収納部を当該支持柱の側方に向かって凹状に開口して形成した中央細柱部と、この中央細柱部の上方に連続して、当該中央細柱部および前記収納部を合わせた幅寸法に形成された上方柱部と、前記中央細柱部の下方に連続して、当該中央細柱部および前記収納部を合わせた幅寸法に形成された下方柱部とを備え、
前記上方柱部および前記下方柱部は、断面形状が凹状開口となるコ字形に形成され、かつ、当該コ字形の凹状開口を、支持する前記遊技台の正面となる正面方向に向けて配置したことを特徴とする支持枠。
【請求項２】
前記下方柱部は、前記支持テーブルを係合する係合部が、前記パチンコ台の高さに対応する第1係合部を有するとともに、前記パチスロ台の高さに対応する第２係合部を有することを特徴とする請求項１に記載の支持枠。
【請求項３】
請求項１に記載の支持枠の設置方法において、
前記遊技台の左右に配置される支持柱を、当該支持柱の上方柱部および下方柱部の凹状開口が前記遊技台の正面となる正面方向に向かうように配置してアンカーを介してフロア設置面に立設する工程と、
前記支持柱の下方柱部の凹部開口に前記遊技台を支持する支持テーブルを設置すると共に、支持柱の上方柱部の凹部開口に前記遊技台の上方に配置されるランプ板を設置する工程と、
前記支持テーブルとランプ板の間に間柱を設置する工程と、を含むことを特徴とする支持枠の設置方法。
【発明の詳細な説明】
【技術分野】
【０００１】
本発明は、パチンコ台あるいはパチスロ台等の遊技台を支持する支持枠に係り、特に、遊技台の取付作業性に優れた支持枠および支持枠の設置方法に関するものである。
【背景技術】
【０００２】
従来、パチンコ台あるいはパチスロ台を支持する支持枠は、木製の支持枠から金属製の支持枠に移行して現在さまざまな構成のものが提案されている。例えば、特許文献１には、以下のような構成の支持枠が記載されている。
【０００３】
すなわち、支持枠は、遊技台およびこの遊技台に隣接して設けた貸出機とをその両側に設けた支持柱を介して支持する支持枠であって、前記支持柱の中段位置に形成され前記遊技台を支持する中段枠部と、この中段枠部の上部に形成される上部枠部と、前記中段枠部の下部に形成される下部枠部とから構成され、前記支持柱は、前記遊技台の左右に配置される一方が、前記中段枠部の位置で前記貸出機を支持するため、その遊技台側に向けて開口を形成すると共に、前記貸出機の上方または下方の少なくとも一方に隙間を開けた状態で形成された間隙支持枠部を備えている。そして、前記間隙支持枠部には、前記貸出機との前記隙間を隠蔽すると共に、その貸出機の上方および下方で前記支持柱に当接して支持される隠蔽板が取り付けられものとして構成されている（例えば、特許文献１参照）。
【０００４】
そのため、遊技台の支持枠は、間柱や化粧柱などの作業をする必要がなく、設置作業が容易である。また、遊技台の取付作業や、貸出機の設置作業が容易となる。さらに、支持している遊技台の種類を変える作業を行っても間隙支持枠部と貸出機の間に生じる隙間を隠蔽板が適切に隠してくれるため、操作性に優れているという効果を奏するものである。
【特許文献１】特開２００１−７９２５２号公報
【発明の開示】
【発明が解決しようとする課題】
【０００５】
しかし、従来の支持枠は、さらに改良する余地が残されていた。
すなわち、従来の支持枠では、支持枠自体を設置面に設置する場合に、アンカーボルトを介して固定しているが、すでに遊技台の左右に支持柱が正面を飾り面として配置されている。そのため、アンカーボルトに固定する作業を行う場合に、作業者は、支持柱の正面から裏側に手を回して、無理な姿勢の状態で支持柱をアンカーボルトに固定する作業を、手指の感触により行っているのが現状である。なお、アンカーボルトに支持柱が適切に取付けられていないと、パチンコ台あるいはパチスロ台を設置したときのフロア設置面に対する垂直状態および水平状態の調整作業に手間がかかる。
【０００６】
そして、従来の支持枠では、ランプ板および支持テーブルを両支持柱間に取り付ける場合においても、支持柱の正面が飾り面となっているため、作業者は、支持柱の正面から裏側に手指を回し入れた無理な姿勢で作業を行っているのが現状である。
【０００７】
本発明は、前記の問題点に鑑みて創案されたものであり、アンカーボルトあるいはランプ板等の固定作業あるいは取付作業を容易とし、また、作業中に作業者が目視して無理な姿勢をとることなく作業でき、パチンコ台およびパチスロ台の水平状態および垂直状態の調整作業も手間取ることがない支持枠および支持枠の設置方法を提供することを課題とするものである。
【課題を解決するための手段】
【０００８】
本発明に係る支持枠は、以下のように構成した。すなわち、支持枠は、パチンコ台あるいはパチスロ台である遊技台の左右に配置される支持柱と、この支持柱に掛け渡されて前記遊技台の下端側に配置されて当該遊技台を支持する支持テーブルと、を備え、前記支持柱の高さ方向における中央部分に遊技用の玉またはコインを貸し出す貸出し機を収納する収納部を備える支持枠において、前記支持柱は、前記収納部を当該支持柱の側方に向かって凹状に開口して形成した中央細柱部と、この中央細柱部の上方に連続して、当該中央細柱部および前記収納部を合わせた幅寸法に形成された上方柱部と、前記中央細柱部の下方に連続して、当該中央細柱部および前記収納部を合わせた幅寸法に形成された下方柱部と、を備えている。そして、前記上方柱部および前記下方柱部は、断面形状が凹状開口となるコ字形に形成され、かつ、当該コ字形の凹状開口を、支持する前記遊技台の正面となる正面方向に向けて配置した構成とした。
【０００９】
このように構成した支持枠は、フロア設置面に設けたアンカーボルトに対して支持柱の下方柱部の凹状開口が正面を向くように配置されることで、作業者が正面から目視して当該支持柱を固定する。そして、遊技台を支持する支持テーブルを設置する場合においても、作業者は下方柱部の正面から取付作業を行う。さらに、支持枠は、ランプ板を上方柱部の凹状開口に正面から取付作業を行うことができる。
【００１０】
また、前記支持枠において前記下方柱部は、前記支持テーブルを係合する係合部が、前記パチンコ台の高さに対応する第1係合部を有するとともに、前記パチスロ台の高さに対応する第２係合部を有する構成とした。
このように構成したことで、支持枠は、支持テーブルの高さ位置を調整して係合部に係合するときにも、作業者は正面からパチンコ台であれば、第１係合部に支持テーブルを係合させ取付作業を行い、また、パチスロ台であれば、第２係合部に支持テーブルを正面から係合させ取付作業を行うことができる。
【００１１】
さらに、前記支持枠の設置方法において、前記遊技台の左右に配置される支持柱を、当該支持柱の上方柱部および下方柱部の凹状開口が前記遊技台の正面となる正面方向に向かうように配置してアンカーを介してフロア設置面に立設する工程と、前記支持柱の下方柱部の凹部開口に前記遊技台を支持する支持テーブルを設置すると共に、前記支持柱の凹部開口に前記遊技台の上方にランプ板を設置する工程と、前記支持柱の上方柱部の凹部開口に前記遊技台の飾り板を設置する工程と、前記支持テーブルとランプ板の間に間柱を設置する工程と、を含む手順とした。
【００１２】
このような手順によれば、作業者は、フロア設置面に設けたアンカーボルトに支持柱に取付ける場合に、支持柱の上方柱部および下方柱部の凹状開口が正面を向いているため、目視しながら正面から取付作業を行うことができ、同様に、支持テーブル、ランプ板についても、正面から取付作業を行うことができる。
【発明の効果】
【００１３】
本発明に係る支持枠および支持枠の設置方法では、以下に示すような優れた効果を奏するものである。
支持枠は、支持柱の上方柱部および下方柱部において、断面コ字形の凹部開口が正面を向いて配置されるため、作業者は、アンカーボルトに支持柱の取付部分を目視しながら正面から作業ができる。そのため、作業者は、正確にかつ迅速にアンカーボルトと支持柱を固定する取付作業を行うことができる。同様に、作業者は、ランプ板および支持テーブルを支持柱に取付ける場合においても、支持柱の正面から目視しながら取付作業ができるため、正確にかつ迅速にランプ板および支持テーブルの取付作業を行うことが可能となる。なお、支持枠に設置するパチンコ台およびパチスロ台の水平状態および垂直状態の調整作業も容易となり、さらに、支持柱の断面コ字形の凹部開口を正面に向けて配置することにより、いままで飾り柱として支持柱に施してきた塗装等の作業が軽減できる。
【００１４】
支持枠は、その支持柱において、パチンコ台とパチスロ台を交換して設置する場合に、高さを調整することが容易にできるため、台の取替作業を取付精度を維持して迅速に行うことができる。
【００１５】
また、支持枠の設置方法では、はじめにアンカーボルトと支持柱を作業者が正面から目視しながら固定する取付作業を行い、支持柱の位置を決定した状態でパチスロ台あるいはパチンコ台を支持し、かつ、ランプ板を作業者の正面において目視しながら支持柱に取付けることができるため、設置される島において、ランプ板および支持テーブルの取付順序がどの位置からでも行うことが可能となる。
【発明を実施するための最良の形態】
【００１６】
以下、本発明を実施するための最良の形態を、図面を参照して説明する。
図１は支持枠を分解した分解斜視図、図２は支持枠の斜視図、図３（ａ）は支持枠の側面図、図３（ｂ）は支持枠の正面図、図４（ａ）〜（ｆ）は支持枠を設置する手順を模式的に示す模式図である。また、図５（ａ）は支持枠の支持柱に支持テーブルまたはランプ板を取付ける状態を模式的に示す断面図、（ｂ）は支持枠の支持柱に支持テーブルまたはランプ板を取付けた状態を模式的に示す断面図、図６（ａ）は支持枠の支持柱に支持テーブルを係合させる状態を示す一部を切欠いた斜視図、（ｂ）は支持枠の支持柱に支持テーブルを係合させた状態を示す一部を切欠いた斜視図である。
【００１７】
図１に示すように、支持枠１は、左右に配置される支持柱１０，１０と、この支持柱１０，１０の間に配置される支持テーブル２０と、ランプ板３０と、支持テーブル２０およびランプ板３０の間に配置される間柱４０とを備えている。そして、支持枠１では、２台のパチンコ台Ｐまたは２台のパチスロ台Ｓ（図７参照）をセットで設置するユニット構造に構成されている。
【００１８】
図１に示すように、支持枠１は、フロア設置面Ｆに予め設けられたアンカーベースＡのアンカーボルトａに支持柱１０が固定された状態でパチンコ台Ｐあるいはパチスロ台Ｓ（図７参照）を支持する。
図１および図２に示すように、支持柱１０は、パチンコ台Ｐまたはパチスロ台Ｓ（図７参照）が隣接する位置に、パチンコ玉あるいはコインを貸し出すための貸出機Ｋ（図７参照）の収納部３を形成した中央細柱部２と、この中央細柱部２の上方に連続して形成した上方柱部４と、中央細柱部２の下方に連続して形成した下方柱部５とを備えている。
【００１９】
そして、上方柱部４は、フロア設置面Ｆに平行な水平断面形状が凹部開口を正面に向けたコ字形に形成されており、その上端位置に取付面４ａをここでは有している。この上方柱部４は、背面板４ｄと、この背面板４ｄの左右に当該背面板４ｄと直交する向きに形成された側面板４ｂ、４ｃとを備えている。側面板４ｂ，４ｃは、高さ方向に係合部としての切欠き溝４ｅおよび係合穴４ｆがそれぞれ形成されている。
【００２０】
切欠き溝４ｅは、取付面４ａを有する場合には、その取付面４ａおよび側面板４ｂ（４ｃ）の端部から所定長さまで一定幅において連続して切欠いて形成されている。そして、この切欠き溝４ｅに、後記するランプ板３０の係合板２２（２３）の係合片２２ａ（２３ａ）が係合すると、係合穴４ｆと係合板２２（２３）の係合穴２２ｂ（２３ｂ）とが合致して連通する位置関係となるように形成されている。なお、係合穴４ｆは、側面板４ｂ、４ｃのそれぞれにおいて複数が形成されることが望ましい。また、図５に示すように、係合穴４ｆは、上方柱部４の凹部開口の内側となる位置に当該係合穴４ｆに連通させてナットＮが固定されている。
【００２１】
下方柱部５は、水平断面形状が凹部開口を正面に向けたコ字形に形成されており、その下端位置にアンカーボルトａと係合するためのボルト取付面５ａを有している。この下方柱部５は、背面板５ｄと、この背面板５ｄの左右に当該背面板５ｄと直交する向きに形成された側面板５ｂ、５ｃとを備えている。また、下方柱部５の側面板５ｂ、５ｃは、予め設定された所定高さ位置に、支持テーブル２０を支持するための係合部としての第１係合部６と第２係合部７がそれぞれ形成されている。
【００２２】
図１に示すように、第１係合部６は、切欠き溝６ａと、係合穴６ｂとを備えている。また、第２係合部７は、切欠き溝７ａと、係合穴７ｂとを備えている。なお、切欠き溝６ａ，７ａは、側面板５ｂ、５ｃの一端部から所定長さに連続する切欠きとして形成されている。また、係合穴６ｂ，７ｂは、側面板５ｂ，５ｃを貫通して形成されている。そして、第１係合部６は、パチンコ台用（図７参照）の支持テーブル２０を支持するためのものとして、また、第２係合部７は、パチスロ台用（図７参照）の支持テーブル２０を支持するためのものとして使用される。
【００２３】
図６（ａ）、（ｂ）に示すように、この第１係合部６（第２係合部７）の切欠き溝６ａ（７ａ）および係合穴６ｂ（７ｂ）は、切欠き溝６ａ（７ａ）に、後記する支持テーブル２０の被係合部１３（１４）の係合片１３ｂ（１４ｂ）が係合すると、当該第１係合部６（第２係合部７）の係合穴６ｂ（７ｂ）と被係合部１３（１４）の係合穴１３ａ（１４ａ）とが合致して連通する位置関係となるように形成されている。なお、第１係合部６の係合穴６ｂおよび第２係合部７の係合穴７ｂは、側面板５ｂ，５ｃのそれぞれにおいて、一箇所以上形成されていることが望ましく、その数は限定されるものではない。なお、図５（ａ）、（ｂ）に示すように、係合穴６ｂ（７ｂ）は、下方柱部５の凹部開口の内側となる位置に当該係合穴６ｂ（７ｂ）に連通させてナットＮが固定されている。
【００２４】
中央細柱部２は、支持するパチンコ台Ｐあるいはパチスロ台Ｓ（図７参照）側に向かって、凹状に開口させて貸出機Ｋの収納部３が形成されている。この中央細柱部２は、その水平断面形状がアングル状（ここではＬ字状）に形成されている。
なお、支持柱１０は、金属板を折り曲げかつ溶接することで形成しても、また、面方向が同じ部材を切り抜いて溶接することで形成しても構わず、特に限定されるものではない。
【００２５】
図１および図２に示すように、支持テーブル２０は、正面テーブル板１１と、この正面テーブル板１１の上端側で、パチンコ台Ｐまたはパチスロ台Ｓ（図７参照）を載置する水平面（フロア設置面Ｆに平行）を有する台部１２と、この台部１２の正面に向かって左右側となる位置で、前記正面テーブル板１１の裏面から後方に向かって突出して形成された被係合部１３，１４と、を備えている。
【００２６】
正面テーブル板１１は、パチンコ台Ｐおよびパチスロ台Ｓ（図７参照）の下方を隠蔽するためのものであり、パチンコ台Ｐまたはパチスロ台Ｓ（図７参照）が設置され、その各台の下方となる位置に開口１５，１６とが形成されている。この正面テーブル板１１は、左右の一方の下方柱部５の横幅の半分となる位置から左右の他の下方柱部５の横幅の半分となる位置までの横長さ寸法に形成されている。また、正面テーブル板１１は、その高さ寸法が、少なくとも下方柱部５の高さ寸法と同等に形成されている。
【００２７】
台部１２は、パチンコ台Ｐおよびパチスロ台Ｓ（図７参照）を支持するためのものであり、正面テーブル板１１から後方に突出した状態で形成されており、パチンコ台Ｐあるいはパチスロ台Ｓを支持したときに、載置できる突出長さ寸法を有している。この台部１２は、左側の下方柱部５の側面板５ｃから右側の下方柱部５の側面板５ｂの幅寸法に形成されている。また、台部１２の幅方向の中央には、間柱４０の下端側を取付けるための取付穴あるいは取付ボルト等の取付手段（図示せず）が設けられている。
【００２８】
図１および図２に示すように、被係合部１３，１４は、支持柱１０，１０に当該支持テーブル２０を係合させるためのものであり、正面テーブル板１１の裏面から後方に突出し、かつ、左側の下方柱部５の側面板５ｃおよび右側の下方柱部５の側面板５ｂと対面するように形成されている。この被係合部１３，１４は、下方柱部５の側面板５ｂ，５ｃに形成された切欠き溝６ａ（７ａ）および係合穴６ｂ（７ｂ）に対応した位置に、係合片１３ｂ（１４ｂ）および係合穴１３ａ（１４ａ）を形成している。そのため、図１および図６に示すように、被係合部１３，１４は、その係合片１３ｂ、１４ｂが、側面板５ｂ，５ｃの切欠き溝６ａ（７ａ）に係合すると、被係合部１３，１４の係合穴１３ａ，１４ａおよび係合穴１４ａ，１４ａと、側面板５ｂ，５ｃの係合穴６ｂ（７ｂ）とが合致して連通する状態となる。
【００２９】
なお、支持テーブル２０は、パチンコ台Ｐあるいはパチスロ台Ｓ（図７参照）を支持するときに、下方の隙間を隠蔽するため、幅木ｈ１（ｈ２）をここでは取付ける構成としている。この支持テーブル２０は、支持柱１０，１０に係合する高さ位置を、第１係合部６および第２係合部７に係合することで調整できるため、パチンコ台Ｐおよびパチスロ台Ｓのいずれかを支持する場合においても、一種類の寸法に形成されたものを使用している。そのため、支持テーブル２０が、第１係合部に係合された場合と、第２係合部に係合された場合とでは、当該支持テーブル２０の下方に形成する隙間の間隔が異なるため、パチンコ台用とパチスロ台用の幅木ｈ１，ｈ２を使用している。
【００３０】
図１および図２に示すように、ランプ板３０は、パチンコ台Ｐおよびパチスロ台Ｓ（図７参照）の上方に配置され、左右の支持柱１０，１０に亘って設置されるものであり、正面板２１と、この正面板２１の裏面から後方に突出する係合板２２，２３と、正面板２１の下端側に形成した取付部２４とを備えている。なお、ランプ板３０は、パチンコ台用と、パチスロ台用（図７参照）の二種類をここでは使用している。
【００３１】
正面板２１は、貫通穴２１ａと凹部２１ｂとが横長な長方形に形成され、点灯ランプを取付けるための取付穴２５，２５が少なくとも２つ形成されている。この正面板２１は、横幅寸法が、左右の一方の上方柱部４の幅寸法の半分から、左右の他方の上方柱部４の幅寸法の半分までの長さに形成されており、また、縦寸法が、上方柱部４，４の側面板４ｃの長さ寸法と同等に形成されている。
【００３２】
なお、図７に示すように、正面板２１は、ここではパチンコ台用とパチスロ台用の二種類を用意しており、その違いとして、取付穴２５，２５の形成位置と、凹部２１ｂの形成位置とが、上下方向において異なる配置であることと、パチスロ台用のものが、縦寸法をパチンコ台Ｐのものより長くなるように構成されていることである。したがって、ランプ板３０は、支持する遊技台に対応して当該正面板２１の縦寸法が合っているものを取り付けるようにしている。また、凹部２１ｂは、予め形成された貫通穴に箱状の部材を取り付けて形成しても構わない。この凹部２１ｂは、例えば、パチンコ台Ｐあるいはパチスロ台Ｓを設置したときに、パチンコ玉あるいはコインを収納するプラスチック製の箱であるドル箱（図示せず）を重ねて収納する収納部等として使用される。
【００３３】
図１および図２に示すように、係合板２２，２３は、支持柱１０，１０にランプ板３０を係合させるためのものであり、正面板２１の裏面から後方に突出し、かつ、左側の上方柱部４の側面板４ｃおよび右側の上方柱部４の側面板４ｂと対面するように形成されている。この係合板２２，２３は、上方柱部４の側面板４ｂ，４ｃに形成した切欠き溝４ｅおよび係合穴４ｆに対応する位置に、係合片２２ａ，２３ａ、係合穴２２ｂ，２３ｂを形成している。
【００３４】
図３（ａ）に示すように、取付部２４は、ここでは、正面板２１の下端を断面コ字形となるように折り曲げて形成されており、かつ、幅方向の中央部に間柱４０を取付けるための取付穴あるいは取付ボルト（図示せず）が設けられている。この取付部２４は、パチンコ台Ｐを設置する場合に、当該取付部２４の断面コ字形の凹部開口に上側受木板ｂ１を差し込んで固定して使用する。なお、パチンコ台Ｐの下端側には、支持テーブル２０に設置される膳板Ｃに下側受木板ｂ２を取付けた状態で、パチンコ台Ｐが設置されることになる。
【００３５】
図１および図３に示すように、間柱４０は、ここでは２種類のタイプに形成されたものを備えており、貸出機Ｋの幅と併せてパチンコ台Ｐまたはパチスロ台Ｓの間に収まる横寸法に形成されている。この間柱４０は、ランプ板３０と支持テーブル２０の幅方向の中央位置と、支持柱の中央細柱部２に隣接する位置とに、横幅寸法が異なるものがそれぞれ取付られる。中央に位置する間柱４０は、その上端側または下端側に取付手段としての取付面３１，３２が形成されている。また、支持柱１０の中央細柱部２に隣接して配置される間柱４０は、断面Ｌ字状に形成され、支持柱１０の横幅寸法における半分を隠蔽する横幅寸法に形成され、かつ、長手方向において係止穴が複数形成され、ボルト等の取り付け手段により中央細柱部２に取り付けられる。
【００３６】
以上説明した構成の支持枠１を、図４（図１ないし図３を適宜参照）を参照してフロア設置面に設置する手順を説明する。
【００３７】
なお、支持枠１は、左右の支持柱１０，１０と、支持テーブル２０と、ランプ板３０と、間柱４０とをすでに取付けた状態を工場等の設置現場以外の場所で組み立てた状態をユニット単位として設置する構成としてもよく、また、設置現場で支持柱１０，１０を固定し、支持テーブル２０およびランプ板３０を取り付けた後に、間柱４０を設置することで、支持枠１を設置する構成としても構わない。ここでは、設置現場で支持枠１の個々の構成を順次取り付けて支持枠１を設置し、パチスロ台Ｓをその支持枠１に設置する場合について一例として説明する。
【００３８】
はじめに、図４（ａ）に示すように、フロア設置面Ｆにアンカーボルトａを備えるアンカーベースＡを所定間隔で設ける。アンカーベースＡは、背中合わせの状態でパチンコ台Ｐまたはパチスロ台Ｓを設置する場合に、所定間隔で平行にアンカーボルトａが互いに外側（図３（ａ）参照）となるように敷設される。
【００３９】
支持柱１０，１０をアンカーボルトａに固定する場合には、下方柱部５の凹部開口が正面（台を設置したときの遊技者側）を向いていることから、作業者が正面から作業位置を目視で確認した状態においてナット等を介して、アンカーボルトａを支持柱の下方柱部５に取付けて固定する取付作業を行うことができるため、取付作業の正確さを確保しながら作業速度を高めることが可能となる。
【００４０】
図４（ｂ）に示すように、支持柱１０，１０が固定されると、つぎに、支持テーブル２０およびランプ板３０のいずれかが先に支持柱１０，１０に取付けられる。ここでは、先に、支持テーブル２０を取付ける場合を説明する。なお、支持テーブル２０を取付ける場合には、幅木ｈ２を介して支持テーブル２０が設置される。支持テーブル２０は、図１に示す状態から図２に示す状態になるように、その被係合部１３，１４の係合片１３ｂ，１４ｂを、支持柱１０，１０の下方柱部５，５の切欠き溝７ａ，７ａに差し込んで係合すると（図６参照）、被係合部１３，１４の係合穴１３ａ，１４ａと、下方柱部５，５の係合穴７ｂ，７ｂとが合致して連通する位置関係となる（図６参照）。そして、下方柱部５，５は、凹部開口が正面を向くように設置されているため、図５（ｂ）で示すように、作業者は、下方柱部５の凹部開口の正面側から支持テーブル２０の取付作業を目視しながら行うことができる。
【００４１】
図４（ｃ）に示すように、支持テーブル２０が支持柱１０，１０の下方柱部５，５側に取付られると、今度は、ランプ板３０が支持柱１０，１０の上方柱部４，４に取付けられる。このランプ板３０は、支持テーブル２０と同様に、作業者が正面から取付作業を行うことができるため、取付作業の正確さを確保しながら作業速度を高めることが可能となる。すなわち、ランプ板３０は、その係合板２２，２３の係合片２２ａ，２３ａを、支持柱１０，１０の上方柱部４，４の切欠き溝４ｅ，４ｅに差し込んで係合すると、係合穴２２ｂ，２３ｂと上方柱部４の係合穴４ｆ，４ｆとが合致して連通する位置関係となる。そのため、図５（ｂ）で示すように、作業者は、上方柱部４の凹部開口の正面側から支持して取付作業を行うことができる。
【００４２】
図４（ｄ）に示すように、ランプ板３０が取付けられると、つぎに、間柱４０，４０，４０を取付ける。なお、中央の間柱４０は、その上下端部をランプ板３０および支持テーブル２０に固定することで取付けられる。また、左右の間柱４０，４０は、支持柱１０，１０の中央細柱部２，２に隣接して取付けられ、支持枠１が構成される。
【００４３】
そして、図４（ｅ）に示すように、各間柱４０が取付けられると、つぎに、貸出機Ｋが、間柱４０に隣接してそれぞれ設置される。さらに、図４（ｆ）に示すように、パチスロ台Ｓが膳板Ｃ（図３参照）を介して支持枠１に設置される。その後、ランプや、飾り、あるいは、玉の供給機構等（図示せず）が設置される。なお、支持柱１０，１０とアンカーボルトａとの取付作業が作業者の目視状態で無理な姿勢をとることなく行われるので、支持柱１０が適切な立設状態となり、支持枠１のフロア設置面Ｆにおいて水平状態および垂直状態が適切となり、パチンコ台Ｐおよびパチスロ台Ｓの水平状態および垂直状態の調整が容易となる。
【００４４】
なお、パチンコ台Ｐ（図７参照）を設置する場合には、アンカーボルトａ，ａに支持柱１０，１０が固定され、支持テーブル２０、ランプ板３０および間柱４０が取付けられると、支持柱１０，１０の収納部３，３および間柱４０の隣接する位置に貸出機Ｋが設置される。そして、貸出機Ｋが設置されると支持テーブル２０上にパチンコ台Ｐが膳板Ｃおよび上側受木板ｂ１と下側受木板ｂ２を介して設置される。
また、前記したように、パチスロ台Ｓが設置される場合には、ランプ板３０の取付部２４の位置に配置される上側受木板ｂ１および膳板Ｃの位置に配置される下側受木板ｂ２は、取り外された状態で、膳板Ｃを介して支持テーブル２０に設置される。
【００４５】
さらに、図７を参照して、パチンコ台Ｐの設置していた支持テーブル２０にパチスロ台Ｓを設置するために台の入替作業を行う場合について説明する。なお、台の取外し作業は、図４（ｆ）から（ｂ）に向かって作業することになる。すなわち、パチンコ台Ｐを膳板Ｃと共に取り外す。つぎに間柱４０および貸出機Ｋを取り外す。つづいて、ランプ板３０、支持テーブル２０を支持柱１０，１０から取り外す。
【００４６】
そして、今度は、パチスロ台用の高さになるように、支持柱１０，１０の下方柱部５，５の第２係合部７に、支持テーブル２０の被係合部１３，１４を係合させ（係合穴１３ａ，１３ａ、係合穴１４ａ，１４ａに係合穴７ｂ，７ｂ、７ｂ，７ｂを合致させて）、支持テーブル２０を支持柱１０，１０に取り付ける（図６において１３ｂが切欠き溝７ａに係合した状態）とともに、パチスロ台Ｓ用の幅木ｈ２を支持テーブル２０の下端側に設置する。つぎに、パチスロ台用のランプ板３０を支持柱１０，１０に取り付け、さらに、間柱４０を取付ける。次いで、コイン用の貸出機Ｋを間柱４０に隣接して設置し、パチスロ台Ｓを支持テーブル２０に膳板Ｃを介して取り付けることで台の交換作業を終了する。なお、ランプ板３０は、パチンコ台用のものが取付けられることになる。
【００４７】
また、パチスロ台Ｓが設置された支持枠１にパチンコ台Ｐを設置するために台の入替作業を行う場合には、つぎのようにしている。はじめに、パチスロ台Ｓを取り除き、間柱４０、貸出機Ｋを取り除く。さらに、ランプ板３０および支持テーブル２０を取り除き、支持柱１０，１０がアンカーボルトａに固定されている状態とする。
【００４８】
そして、支持テーブル２０を支持柱１０，１０のパチンコ台用の位置、つまりここでは第１係合部６（図６参照）に係合して取付けるとともに、幅木ｈ１により支持テーブル２０の下端側の隙間を隠蔽する。つぎに、パチンコ台用のランプ板３０を支持柱１０，１０の上方柱部４，４に取付ける。さらに、支持テーブル２０とランプ板３０の間で幅方向の中央と、支持柱１０の中央細柱部２に隣接した位置とに間柱４０を取り付けるとともに、パチンコ用の貸出機Ｋを間柱４０に沿って取付ける。次いで、図３（ａ）に示すように、支持テーブル２０に膳板Ｃを設置するともに、その膳板Ｃに下側受木板ｂ２を設け、かつ、ランプ板３０の取付部２４に上側受木板ｂ１を嵌め込み固定する。固定した上側受木板ｂ１および下側受木板ｂ２の間にパチンコ台Ｐ（図７参照）を設置する。
【００４９】
なお、パチンコ台Ｐまたはパチスロ台Ｓに背中合わせでパチンコ台Ｐまたはパチスロ台Ｓを設置する場合には、図３（ａ）に示すように、支持柱１０の上方柱部４の位置および下方柱部５の位置に連結部材５０を介して連結した状態でパチンコ台Ｐまたはパチスロ台Ｓを設置する。
【図面の簡単な説明】
【００５０】
【図１】本発明に係る支持枠の全体を示す分解斜視図である。
【図２】本発明に係る支持枠の全体を示す斜視図である。
【図３】（ａ）は本発明に係る支持枠の側面図、（ｂ）は本発明に係る支持枠の正面図である。
【図４】（ａ）〜（ｆ）は、本発明に係る支持枠を設置する手順を模式的に示す模式図である。
【図５】（ａ）は本発明に係る支持枠の支持柱に支持テーブルまたはランプ板を取付ける状態を模式的に示す断面図、（ｂ）は本発明に係る支持枠の支持柱に支持テーブルまたはランプ板を取付けた状態を模式的に示す断面図である。
【図６】（ａ）は本発明に係る支持枠の支持柱に支持テーブルを係合させる状態を示す一部を切欠いた斜視図、（ｂ）は本発明に係る支持枠の支持柱に支持テーブルを係合させた状態を示す一部を切欠いた斜視図である。
【図７】（ａ）は本発明に係る支持枠にパチンコ台またはパチスロ台を設置した状態を示す正面図、（ｂ）は本発明に係る支持枠にパチンコ台を設置した状態を示す正面図、（ｂ）は本発明に係る支持枠にパチスロ台を設置した状態を示す正面図である。
【符号の説明】
【００５１】
１      支持枠
２      中央細柱部
３      収納部
４      上方柱部
４ａ    取付面
４ｂ，４ｃ    側面板
４ｄ    背面板
４ｅ    切欠き溝
４ｆ    係合穴
５      下方柱部
５ａ    ボルト取付面
５ｂ，５ｃ    側面板
５ｄ    背面板
６      第１係合部
６ａ    切欠き溝
６ｂ    係合穴
７      第２係合部
７ａ    切欠き溝
７ｂ    係合穴
１０    支持柱
１１    正面テーブル板
１２    台部
１３    被係合部
１３ａ，１４ａ  係合穴
１３ｂ，１４ｂ  係合片
１５    開口
２０    支持テーブル
２１    正面板
２１ａ  貫通穴
２１ｂ  凹部
２２    係合板
２２ａ，２３ａ  係合片
２２ｂ，２３ｂ  係合穴
２４    取付部
２５    取付穴
３０    ランプ板
４０    間柱
５０    連結部材
Ａ      アンカーベース
Ｃ      膳板
Ｆ      フロア設置面
Ｋ      貸出機
Ｎ      ナット
Ｐ      パチンコ台
Ｓ      パチスロ台
ａ      アンカーボルト
ｂ１    上側受木板
ｂ２    下側受木板
ｈ１    幅木
ｈ２    幅木
【図１】
2007014486.tif 000003
【図２】
2007014486.tif 000004
【図３】
2007014486.tif 000005
【図４】
2007014486.tif 000006
【図５】
2007014486.tif 000007
【図６】
2007014486.tif 000008
【図７】
2007014486.tif 000009